(57)【要約】【課題】バリアフリー性を維持しつつ、障子開放制限装置の係合強度が高く施錠・解錠操作性に優れたフラットサッシ構造の提供を目的とする。【解決手段】下枠は下枠ベース部材と上面部材で構成され、当該下枠ベース部材は屋外側ベース部材と室内側ベース部材とを断熱連結部材にて連結して構成され、障子下框は屋外側下框部材と室内側下框部材とを断熱連結部材にて連結して構成され、当該屋外側又は室内側下框部材のいずれか一方又は両方から垂下片を垂下させ、当該下枠は下枠ベース部材に外障子用上面部材と内障子用上面部材とを取り付けて下枠上面を略フラット面に形成すると共にこの下枠上面に条状のスライド溝を設け、障子垂下片を嵌入させた。内障子用上面部材の障子戸車走行部を耐摩耗性材料にて形成し、上面部材に障子の開口範囲を制限するストッパ受けを備え、障子下框内部に当該ストッパ受けに係合するストッパ部材を備えると良い。【選択図】  図５
2005068827.tif 000002
【特許請求の範囲】
【請求項１】
建築物の屋外開口部に、上下枠及び左右の縦枠にて構成された屋外用サッシ枠内を内・外障子がスライド開閉する引違い障子において、下枠は下枠ベース部材と上面部材で構成され、当該下枠ベース部材は屋外側ベース部材と室内側ベース部材とを断熱連結部材にて連結して構成され、障子下框は屋外側下框部材と室内側下框部材とを断熱連結部材にて連結して構成され、当該屋外側又は室内側下框部材のいずれか一方又は両方から垂下片を垂下させ、当該下枠は下枠ベース部材に外障子用上面部材と内障子用上面部材とを取り付けて下枠上面を略フラット面に形成すると共にこの下枠上面に条状のスライド溝を設け、障子垂下片を嵌入させたことを特徴とする屋外用バリアフリーサッシの断熱構造。
【請求項２】
建築物の屋外開口部に、上下枠及び左右の縦枠にて構成された屋外用サッシ枠内を内・外障子がスライド開閉する引違い障子において、下枠は下枠ベース部材と上面部材で構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、外障子用上面部材を金属材料で形成し、内障子用上面部材を樹脂材料にて形成したことを特徴とする屋外用バリアフリーサッシの断熱構造。
【請求項３】
建築物の屋外開口部に、上下枠及び左右の縦枠にて構成された屋外用サッシ枠内を内・外障子がスライド開閉する引違い障子において、下枠は下枠ベース部材と上面部材で構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成したことを特徴とする屋外用バリアフリーサッシの断熱構造。
【請求項４】
建築物の屋外開口部に、上下枠及び左右の縦枠にて構成された屋外用サッシ枠内を内・外障子がスライド開閉する引違い障子において、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備えたことを特徴とする障子開放制限装置付断熱バリアフリーサッシ。
【請求項５】
建築物の屋外開口部に、上下枠及び左右の縦枠にて構成された屋外用サッシ枠内を内・外障子がスライド開閉する引違い障子において、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを取付用凹部を形成して取り付け、障子下框内部に当該ストッパ受けに係合するストッパ部材を備えたことを特徴とする障子開放制限装置付断熱バリアフリーサッシ。
【請求項６】
建築物の屋外開口部に、上下枠及び左右の縦枠にて構成された屋外用サッシ枠内を内・外障子がスライド開閉する引違い障子において、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び鍵穴ガイドを設けたことを特徴とする障子開放制限装置付断熱バリアフリーサッシ。
【請求項７】
建築物の屋外開口部に、上下枠及び左右の縦枠にて構成された屋外用サッシ枠内を内・外障子がスライド開閉する引違い障子において、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び、鍵穴ガイド片又は鍵穴ガイド部品を下框に設けたことを特徴とする障子開放制限装置付断熱バリアフリーサッシ。
【請求項８】
建築物の屋外開口部に、上下枠及び左右の縦枠にて構成された屋外用サッシ枠内を内・外障子がスライド開閉する引違い障子において、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び、鍵穴ガイド片又は鍵穴ガイド部品を下框に設け、室外側には下框と下枠上面との間の隙間を隠す隠蔽部材を備えたことを特徴とする障子開放制限装置付断熱バリアフリーサッシ。
【発明の詳細な説明】
【技術分野】
【０００１】
本発明は建築物の屋外開口部に取り付けられるサッシ構造に関し、特に高気密・水密性で障子開放幅制限装置付き下枠フラットの断熱サッシ構造に係る。
【背景技術】
【０００２】
アルミニウム合金押出形材を用いたアルミサッシは強度に優れるが、熱伝導性も良く室内側に結露が生じやすい。
そこで、サッシ枠や障子枠を室外側と室内側で分割し、その間を樹脂等の断熱材で連結した構造が提案されている（特開２００２−２９５１３３号公報）。
【０００３】
また、社会福祉施設や保育園等においては障子を一部開放して室内換気しつつ、室外へ出るのを防止するために開放幅を園児や人が通り抜け出来ない程度に制限した開放制限装置付きサッシ構造が提案されている（特開平１１−３１１０５１号公報）。
【０００４】
しかし、断熱障子戸においても大型化になりつつあり、断熱性を確保するために二重ガラス（ペアガラス）構造を採用しようとすると、障子の見込み幅が広くなり、重量が大きく框構造も高強度が要求され、框の厚みが大きくなる。
また、障子の重量が重くなると、下枠上面の障子走行部の強度や耐キズ付性の向上も要求される。
障子框が厚い断熱構造になると、障子框内に障子開放制限装置を内蔵した場合に次のような問題が生じる。
室内側から特定の者のみが障子開放制限装置の施錠及び解錠するための操作部が奥深くなり操作性が悪くなる。
【０００５】
【特許文献１】特開２００２−２９５１３３号公報
【特許文献２】特開平１１−３１１０５１号公報
【発明の開示】
【発明が解決しようとする課題】
【０００６】
本発明は上記技術的背景の下に、下枠上面フラットのバリアフリーサッシに室外側と室内側を分割し、断熱材で連結した断熱構造を適用した場合におけるバリアフリー性を維持しつつ、障子開放制限装置の係合強度が高く施錠・解錠操作性に優れたサッシ構造の提供を目的とする。
【課題を解決するための手段】
【０００７】
請求項１記載に係る発明の技術的要旨は、建築物の屋外開口部に、上下枠及び左右の縦枠にて構成された屋外用サッシ枠内を内・外障子がスライド開閉する引違い障子において、下枠は下枠ベース部材と上面部材で構成され、当該下枠ベース部材は屋外側ベース部材と室内側ベース部材とを断熱連結部材にて連結して構成され、障子下框は屋外側下框部材と室内側下框部材とを断熱連結部材にて連結して構成され、当該屋外側又は室内側下框部材のいずれか一方又は両方から垂下片を垂下させ、当該下枠は下枠ベース部材に外障子用上面部材と内障子用上面部材とを取り付けて下枠上面を略フラット面に形成すると共にこの下枠上面に条状のスライド溝を設け、障子垂下片を嵌入させたことを特徴とする。
【０００８】
上記発明の目的はまず、下枠上面をフラット面に形成する断熱サッシの構造にある。
下枠を、障子の荷重を支えることになる下枠ベース部材と、下枠の上面を形成するための上面部材にて構成する。
下枠ベース部材を屋外側ベース部材と室内側ベース部材とを断熱連結部材にて連結したことにより、下枠ベース部材に長手方向の断熱ラインが形成される。
下枠上面をフラットに形成しつつ、障子がスライド可能にスライド溝及び排水溝を形成する手段として、下枠ベース部材にスライド溝が形成されるように上面部材を取り付けた。
このスライド溝には、障子下框から垂下させた垂下片を嵌入させることにより障子のスライド開閉時のガイド機能が備えられることになるとともに、この垂下片が水切りラインとなり、スライド溝から雨水等が排水される。
なお、垂下片は下框の屋外側又は室内側のいずれか一方又は両方から垂下させることができる。
また、障子下框垂下片の室内側と下枠との間に横タイト材を取り付けて下枠と障子との気密・水密ラインを形成すると、垂下片の室外側が排水溝として作用し、同時に垂下片の室内側が、この垂下片が風圧等に押圧されるため、高い気密・水密ラインとして作用する。
【０００９】
請求項２記載に係る発明は、下枠は下枠ベース部材と上面部材で構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、外障子用上面部材を金属材料で形成し、内障子用上面部材を樹脂材料にて形成したことを特徴とする。
【００１０】
下枠上面をフラットに形成する手段として、下枠ベース部材に上面部材を取り付ける構造にしたことにより、上面部材を外障子のおおむね下部に位置する外障子用上面部材と、内障子のおおむね下部に位置する内障子用上面部材とに分離することが可能であり、必要に応じて下枠ベース部材から立設片を設けることも可能である。
従って、断熱構造を検討した場合に外障子用上面部材は屋外に位置するのでアルミ押出形材等の金属材料をそのまま採用すれば強度面や戸車走行部の耐摩耗性を確保出来る。
一方、内障子用上面部材は図１１に示すように少なくともＡの部分に該当する左側（室内から室外に向かって見て）部分は断熱性材料で形成しないと結露等が生じる恐れがある。
そこで、請求項２記載の発明は内障子用上面部材を樹脂材料にて形成したものである。
【００１１】
請求項３記載に係る発明は、下枠は下枠ベース部材と上面部材で構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成したことを特徴とする。
【００１２】
内障子用上面部材を樹脂材料で形成すると、この部分は断熱性があり結露等の発生を抑えることができるが、樹脂材料はアルミ押出形材に比較して一般にキズが付きやすく、戸車走行部としては耐摩耗性が不充分になる。
そこで、樹脂材料の内障子用上面部材の戸車走行部分のみを樹脂材料よりも耐摩耗性のあるアルミ押出形材等で形成したものである。
なお、戸車走行部を耐摩耗性材料にて形成したとは戸車走行部のキズ付きを防止するのがねらいであり、内障子用上面部材の戸車走行部をアルミ押出形材に限定するものではない。
【００１３】
請求項４記載に係る発明は、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備えたことを特徴とする。
【００１４】
請求項４記載に係る発明のねらいは、これまで説明してきた下枠上面フラット面のバリアフリーサッシの断熱構造に対して障子開放制限装置を結合した点にある。
上面部材に障子の開口範囲を制限するストッパ受けを備え、障子下框内部にストッパ受けに係合するストッパ部材を備えた構造にしたことにより、下枠上面のバリアフリー性を確保しつつ、係合強度の高い障子開放制限装置が得られたものである。
なお外障子を開放制限する場合には、そのストッパ受けは外障子用上面部材に取り付け、内障子を開放制限する場合には、そのストッパ受けは内障子用上面部材に取り付けることになる。
【００１５】
請求項５の記載に係る発明は、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを取付用凹部を形成して取り付け、障子下框内部に当該ストッパ受けに係合するストッパ部材を備えたことを特徴とする。
【００１６】
本発明の特徴は、障子の開口範囲を制限するストッパ受けを、上面部材に取付用凹部を形成して取り付けた点にある。
障子開放制限装置を作動させている状態では、障子下框内部に備えたストッパ部材の先（係合部）は自重にて下枠上面に摺接している。
障子が全閉した状態からストッパ受け取付用凹部までの間は、上面部材の表面に沿ってストッパ部材が摺接していてその間は障子の開閉が自在である。
障子が開く方向にスライドし、ストッパ部材の先（係合部）が自重にて上面部材の凹部に下がるとそこにはストッパ受けが存在するので、これにストッパ部材の先が係合してそれ以上障子は開かない。
従って、下枠上面のストッパ受け取付用凹部を設けた以外はバリアフリー性がそのまま維持される。
【００１７】
請求項６記載に係る発明は、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び鍵穴ガイドを設けたことを特徴とする。
【００１８】
本発明の趣旨は特定の者が障子開放制限を解除出来るようにした点にある。
具体的には、下框の室内側に操作用のキーを挿入するための鍵穴及び鍵穴ガイドを設けたことにより、キーを所持する特定の者のみが障子開放制限装置を施錠・解錠出来ることになる。
【００１９】
請求項７記載に係る発明は、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び、鍵穴ガイド片又は鍵穴ガイド部品を下框に設けたことを特徴とする。
【００２０】
本発明の趣旨は、下框を断熱構造にした場合に室内側の鍵穴からストッパ部材の操作点までの奥行きが深くなるので、操作用キーの先端部を案内する鍵穴ガイド片又は鍵穴ガイド部品を取り付けた点にある。
障子下框を屋外側下框部材と室内側下框部材とに分離した断熱構造にした場合に、戸車の収納部を屋外側下框部材又は室内側下框部材のいずれか一方に単独で形成した方が強度面及び押出形材等の製作面で有利である。
戸車の収納部を屋外側下框部材に設けると、この戸車収納部を利用して障子開放制限装置を取り付けるのが設計上有利である。
すると、室内側の鍵穴口からストッパ分の施錠・解錠操作点がさらに奥深くなる。
そこで、このような場合に障子下框内部に鍵穴ガイド片又は鍵穴ガイド部品を取り付けると効果的である。
【００２１】
請求項８記載に係る発明は、下枠は下枠ベース部材と上面部材とで構成され、当該下枠ベース部材は屋外側ベース部材と室内側ベース部材とを断熱連結部材にて連結して構成され、下枠ベース部材に外障子用上面部材と内障子用上面部材とを取り付けて下枠上面に条状のスライド溝を設けたフラット面に形成し、障子下框は屋外側下框部材と室内側下框部材とを断熱連結部材にて連結して構成され、当該屋外側又は室内側下框部材のいずれか一方又は両方から垂下片を垂下させて当該スライド溝に嵌入し、内障子用上面部材を断熱性材料にて形成し、当該内障子用上面部材の障子戸車走行部を耐摩耗性材料にて形成し、上面部材に障子の開口範囲を制限するストッパ受けを備え、障子下框内部に当該ストッパ受けに係合するストッパ部材を備え、上記ストッパ受けとストッパ部材の係合を解除する操作用キーを室内側から挿入するための鍵穴及び、鍵穴ガイド片又は鍵穴ガイド部品を下框に設け、室外側には下框と下枠上面との間の隙間を隠す隠蔽部材を備えたことを特徴とする。
【００２２】
下框内部に備えたストッパ部材の先は下枠上面を自重で摺動しているので下框の室外側に垂下片を設けない場合には外部の隙間からストッパ部材が見えることになり防犯上問題になる恐れがある。
そこで、下框と下枠上面との間の隙間を室外側から隠す隠蔽部材を備えたものである。
なお、下框室外側に垂下片を設けた場合にはこの垂下片が隠蔽部材の役割を果たすことになる。
【発明の効果】
【００２３】
本発明においては、下枠を下枠ベース部材と上面部材にて構成し、下枠ベース部材を屋外側と室内側に分割して断熱部材で連結するとともに、下枠ベース部材に所定の立設片を形成し、これらと外障子用上面部材と内障子用上面部材とを組み合わせたので下枠上面をフラット面に形成しつつ、スライド溝を設けることができ、このスライド溝が排水溝の役割も果たし、排水性に優れた高水密の下枠フラット断熱構造が得られる。
【００２４】
上面部材を外障子用と内障子用に分離したので、内障子用上面部材を樹脂材料とすることで結露の発生を抑えることができ、特に室内から見える室内空間に位置する下枠部分が結露しない。
【００２５】
また、内障子用上面部材の戸車走行部を耐摩耗性材料で形成することで下枠上面のキズ付きを防止できる。
【００２６】
障子の下框を屋外側と室内側に分割し、断熱性連結部材で連結した断熱構造にした場合に、屋外側下框部材内部に障子開放制限装置を取り付けることにより、室内側に設けた施錠・解錠の鍵穴から操作点が奥深くなっても操作キー先端を案内する鍵穴ガイド片又は鍵穴ガイド部品を下框内部に備えたことによりキー操作性に優れる。
【００２７】
下枠の上面を形成する上面部材にストッパ受けを備え、下框内部にストッパ部材を備えたことにより障子開放制限装置を作動させた状態ではストッパ部材の先が自重にて下枠上面を摺動し、ストッパにて障子の間口幅が制限されることになるので、障子の全閉状態からストッパ受けのある間は障子の開閉が自由でありながら、開口幅を制限することができる。
また、下枠上面のバリアフリーの維持と開口範囲制限強度の両立が図られる。
【発明を実施するための最良の形態】
【００２８】
図１に本発明に係る引違い障子の内観図を示し、図２に縦断面図、図３に横断面図をそれぞれ示す。
サッシ枠は下枠１０と上枠２０、及び右縦枠３０と左縦枠４０で略方形の枠を形成している。
その枠内を外障子５０と内障子６０がスライド開閉するが、障子開放制限装置７０を作動させると開口幅が約１１０ｍｍ以下になるように制限される。
なお、その開口幅が制限された範囲での開閉は自由である。
また、図３に模式的に示すように特定の管理者等は、操作キー８０にて障子開放制限装置を解錠することができる。
なお、図面への記載を省略したが、火災の発生等万が一外部から障子を開ける必要が生じた場合を想定して外部からも解除キーを挿入操作出来るようにするのがよい。
また、緊急性等を考慮して、本発明に係る装置の設置場所によっては解除キーの替わりにプッシュボタンタイプの解除操作構造でも良い。
【００２９】
図２と図５にて下枠及び下框構造を説明する。
下枠１０はそのベース部を室内側ベース部材１１と室外側ベース部材１２とを樹脂等の連結部材１５にて連結されている。
下枠ベース部材には、内障子用上面部材１３と外障子用上面部材１４とが下枠ベース部材から立ち上げた立設片にて取り付けられている。
これにより下枠上面に内障子用スライド溝１６ａ、外障子用スライド溝１６ｂが形成された下枠上面からフラット面になっている。
スライド溝の下部には内障子用排水凹部１７ａ、外障子用排水凹部１７ｂが設けられ、その下部には案内中空部１８が形成され、屋外側に排水孔１８ｂが設けられ、その外側に逆止弁１８ａが取り付けられている。
【００３０】
内・外障子下框６１、５１はそれぞれ屋外側下框部材６１ｂ、５１ｂと室内側下框部材６１ａ、５１ａとが断熱性の連結部材６１ｃ、５１ｃにて連結された断熱構造になっている。
屋外側の下框部材の内部には障子開放制限装置７０が備えられている。
下框から垂下された垂下片６１ｄ、５１ｄはそれぞれスライド溝１６ａ、１６ｂに嵌入している。
これにより、垂下片の室外側は排水溝になっていて、この垂下片の室内側は横タイト材１９ａ、１９ｂでシールラインを形成している。
雨水はスライド溝１６ａ、１６ｂからその下部の内・外障子用下枠凹部１７ａ、１７ｂに流れ込み、図示を省略したが下枠凹部の排水孔から案内中空部１８に流れ、排水孔１８ｂから屋外に排水される。
また、下框の室外側には隠蔽部材５１ｅ、６１ｅが取り付けられている。
【００３１】
外障子用上面部材１４は、アルミ押出形材の金属製で製作されているが、内障子用上面部材１３は断熱性のある樹脂形材で製作されている。
これにより図１１に示すように、室内空間に位置するＡの部分が断熱される。
従って、内障子用上面部材は長手方向に分割して少なくともＡの部分が樹脂製であれば良いことになる。
なお、図１１に障子の断熱ラインを太い実線で示す。
【００３２】
内障子用上面部材１３を樹脂製にすると、アルミ形材より柔らかく図９に示すように内障子室外側下框の内部に取り付けられた戸車６５が走行する部分にキズが付きやすくなる。
そこで、図５に示すように戸車走行部にアルミ押出形材等の耐摩耗性材１３ａを取り付けた。
【００３３】
障子下框と下枠の構造としては図３に示した例の他に、図１２及び図１３の例等が挙げられる。
図１２は下框垂下片６１Ｄ、５１Ｄを室内外の両方に備えた例である。
図１３は内障子用上面部材１３Ｂは樹脂製にするとともに戸車走行部を下枠ベース部材からの立設片１２Ｂａにて形成した例である。
【００３４】
図４に障子開放制限装置の外観透視図を示し、図６に側面図を示す。
ブラケット７２に回転軸７３を中心にしてストッパ部材７１の先（係合部）７１ａが自重にて下に下がるようにストッパ部材７１が取り付けられている。
ブラケット７２はビス等の固定部材７２ａにて下框内部に取り付けられている。
図６に示すように、障子開放制限装置７０が作動している状態（施錠時）にてはストッパ部材７１の先７１ａが自重にて下枠上面に摺接している。
障子が閉じる方向では下枠上面の表面Ｓ上をストッパ部材の先７１ａが摺動するのでその間での開閉は自由である。
これに対して、障子がさらに開く方向では下枠上面に取付用凹部８５を形成して傾斜案内部材８３ｂとストッパ受け８３がビス等８４で取り付けられているので、ストッパ部材の先７１ａが傾斜案内部材上面を滑るようにしてストッパ受け８３に係合して開口幅が規制される。
なお、ストッパ受け８３には緩衝材８３ａが取り付けられている。
【００３５】
図６に示すようにブラケット７２に係止ピン７４が備えられ、この係止ピン７４に嵌着するようにストッパ部材７１側に把持部７１ｂが形成されている。
従って、障子開放制限装置を解錠する時には、図４に示すように操作キー８０の先端部８０ａを室内側の鍵穴８１から挿入してストッパ部材７１を図６に示した例では時計回りに回して係止ピン７４に係止させる。
これにより、ストッパ部材の先７１ａがストッパ受け８３に係合しなくなり障子を全開することができる。
図４及び図５に示すように、下框内部には鍵穴ガイド部品８１が鍵穴ガイド８１ｂに向けて取り付けられているので、操作キー８０の先８０ａが操作点にスムーズに案内される。
なお、図８に示すように鍵穴ガイド部品８１の代わりに鍵穴ガイド片８２を下框内部に形成しても同様の作用がある。
【００３６】
また、下枠上面へのストッパ受け８３の取り付け方も図６に示したように取付用凹部を形成しなくても例えば、図７に示すように下枠上面（上面部材）の表面Ｓに直接取り付けても良い。
【００３７】
次に上枠付近と左右の縦枠付近の構造例を簡単に説明する。
図２に示すように、上枠２０は室外部材２２と室内部材２１を断熱材２３で連結されている。
内・外障子上框も室外部材６２ｂ、５２ｂと室内部材６２ａ、５３ａが断熱性連結部材６２ｃ、５２ｃで連結されている。
図３に示すように右・左縦枠３０、４０は室外部材３１、４１と室内部材３２、４２とを断熱性連結部材３３、４３にて連結されている。
内・外障子戸当框６３、５３は室外部材６３ｂ、５３ｂと室内部材６３ａ、５２ａとが断熱性連結部材６３ｃ、５３ｃにて連結され、内・外障子召合框６４、５４も同様に室外部材６４ｂ、５４ｂと室内部材６４ａ、５４ａとが断熱性連結部材６４ｃ、５４ｃにて連結されている。
これらにより、図１１に実線で示したような断熱ラインが形成される。
【００３８】
本発明に係るサッシを建築物の屋外開口部に取り付けた例を図９及び図１０に示す。
下枠１０は躯体６にアンカープレート１等を介してアンカーボルト１ａと固定部材１ｂ等を用いて取り付けられ、室内フローリング３と下枠上面がほぼ面一になっている。
なお、屋外側はコーキング材１ｃにてコーキングされている。
【００３９】
上枠２０及び左右の縦枠３０、４０も躯体７、９にそれぞれ取付プレート２、８等を介してアンカーボルト２ａ、８ａと固定部材２ｂ、８ｂとを用いて取り付けられ、外壁材との間はコーキング材２ｃ、８ｃ等によりコーキングシールされている。
なお、４は天板で４ａは側板である。
図１０に示すように必要に応じて網戸９０又はグレーチング１００が配設される。
【図面の簡単な説明】
【００４０】
【図１】サッシ内観図を示す。
【図２】サッシの縦断面図を示す。
【図３】サッシの横断面図を示す。
【図４】障子開放制限装置の外観透視図を示す。
【図５】下枠付近の拡大図を示す。
【図６】障子開放制限装置の側面図を示す。
【図７】他の障子開放制限装置の取り付け例を示す。
【図８】他のキーガイド構造例を示す。
【図９】サッシ躯体納まり例を示す。
【図１０】サッシ躯体納まり例を示す。
【図１１】断熱ラインを示す。
【図１２】他の下枠構造例を示す。
【図１３】他の下枠構造例を示す。
【符号の説明】
【００４１】
１      アンカープレート
１ａ    アンカーボルト
１ｂ    固定部材
１ｃ    コーキング材
２      アンカープレート
２ａ    アンカーボルト
２ｂ    固定部材
２ｃ    コーキング材
３      フローリング
４      天板
５      外壁材
６、７、９    躯体
８      アンカープレート
８ａ    アンカーボルト
８ｂ    固定部材
８ｃ    コーキング材
１０    下枠
１１    室内側ベース部材
１２    屋外側ベース部材
１２Ｂａ、１２Ｂｂ    下枠ベース部材立設片
１３、１３Ａ、１３Ｂ  内障子用上面部材
１３ａ、１３Ａａ      戸車走行部
１４、１４Ａ、１４Ｂ  外障子用上面部材
１５    断熱性連結部材
１６ａ、１６ｂ    スライド溝
１７ａ、１７ｂ    下枠凹部
１８      案内中空部
１８ａ    逆止弁
１８ｂ    排水孔
１９ａ、１９ｂ    横タイト材
２０    上枠
２１    室内部材
２２    室外部材
２３    断熱性連結部材
３０    右縦枠
３１    室内部材
３２    室外部材
３３    断熱性連結部材
４０    左縦枠
４１    室内部材
４２    室外部材
４３    断熱性連結部材
５０    外障子
５１    下框
５１ａ  室内側下框部材
５１ｂ  屋外側下框部材
５１ｃ  断熱性連結部材
５１ｄ  垂下片
５１ｅ  隠蔽部材
５２    外障子上框
５２ａ  室内部材
５２ｂ  室外部材
５２ｃ  連結部材
５３    外障子戸当框
５３ａ  室内部材
５３ｂ  室外部材
５３ｃ  連結部材
５４    外障子召合框
５４ａ  室内部材
５４ｂ  室外部材
５４ｃ  連結部材
６０    内障子
６１    下框
６１ａ  室内側下框部材
６１ｂ  屋外側下框部材
６１ｃ  断熱性連結部材
６１ｄ  垂下片
６１ｅ  隠蔽部材
６２    内障子上框
６２ａ  室内部材
６２ｂ  室外部材
６２ｃ  連結部材
６３    外障子戸当框
６３ａ  室内部材
６３ｂ  室外部材
６３ｃ  連結部材
６４    外障子召合框
６４ａ  室内部材
６４ｂ  室外部材
６４ｃ  連結部材
７０    障子開放制限装置
７１    ストッパ部材
７１ａ  ストッパ部材の係合部
７１ｂ  把持部
７２    ブラケット
７２ａ  ビス（固定部材）
７３    回転軸
７４    係止ピン
８０    操作キー
８０ａ  操作キーの先端部
８１    鍵穴ガイド部品
８１ａ  鍵穴
８２    鍵穴ガイド片
８３    ストッパ受け
８３ａ  緩衝材
８４    固定部材
８５    取付用凹部
Ｓ      下枠上面（表面）
【図１】
2005068827.tif 000003
【図２】
2005068827.tif 000004
【図３】
2005068827.tif 000005
【図４】
2005068827.tif 000006
【図５】
2005068827.tif 000007
【図６】
2005068827.tif 000008
【図７】
2005068827.tif 000009
【図８】
2005068827.tif 000010
【図９】
2005068827.tif 000011
【図１０】
2005068827.tif 000012
【図１１】
2005068827.tif 000013
【図１２】
2005068827.tif 000014
【図１３】
2005068827.tif 000015